(57)【要約】【課題】  従来の防草袋及び防草方法によっては強風や衝撃によって防草袋がずれて、ずれによって生じた隙間から雑草が生えてくるおそれがある。【解決手段】  生分解性繊維で形成された網状の袋状部材の内部に、間伐材、廃材等を砕いてなる木材チップを充填した防草袋。前記防草袋を地面に多数並べ、防草袋を地面に固定して地表を日光から遮断して防草する防草方法。前記防草方法において防草袋の周縁部を肉薄に形成してなる連結部を備え、隣り合う防草袋の連結部同士を重ね合わせて各防草袋を地面に並べ、連結部において防草袋を地面に固定する防草方法。前記防草袋の周縁部を肉薄に形成して連結部を備え、その連結部が、他の隣り合う防草袋の連結部と重ね合わせ可能とした防草袋。また、連結部に固定孔を備え、その固定孔が、他の隣り合う防草袋の固定孔同士を重ね合わせて杭で地面に固定可能とした防草袋。【選択図】図４
2007089473.tif 000002
【特許請求の範囲】
【請求項１】
生分解性繊維で形成された通気、通水性のある袋内に、間伐材、廃材等の木材チップを充填した防草袋を地面に多数個敷設して固定し、それら防草袋の木材チップにより地表を太陽光から遮断して防草することを特徴とする防草方法。
【請求項２】
請求項１記載の防草方法において、周縁部に肉薄の連結部が形成された袋を使用し、隣接する防草袋の連結部同士を重ねて地面に敷設し、重ねた連結部を固定具で地面に固定することを特徴とする防草方法。
【請求項３】
生分解性繊維で形成された通気、通水性のある袋内に、間伐材、廃材等の木材チップが収納されたことを特徴とする防草袋。
【請求項４】
請求項３記載の防草袋において、袋が周縁部に隣り合う防草袋の連結部と重ね合わせ可能な肉薄の連結部を備えたことを特徴とする防草袋。
【請求項５】
請求項３又は請求項４記載の防草袋において、連結部に固定具を差込み可能な固定孔が形成され、固定孔に補強材を設けたことを特徴とする防草袋。
【請求項６】
請求項３乃至請求項５のいずれかに記載の防草袋において、木材チップが発光性のある又は無い着色材で着色されたものであることを特徴とする防草袋。
【請求項７】
請求項３乃至請求項６のいずれかに記載の防草袋において、袋の外周の一部に敷設場所の固定物の外周に宛がうことのできる窪み部が形成されたことを特徴とする防草袋。
【発明の詳細な説明】
【技術分野】
【０００１】
本発明は、道路、特に、高速道路の中央分離帯、公園、公共施設の空き地等の地面に雑草が生えるのを抑制、防止（以下「防草」という。）する防草方法及びそれに用いる防草袋に関するものである。
【背景技術】
【０００２】
従来から道路の中央分離帯、歩道と車道の分離植樹帯、公園等では植樹した樹木の生育環境を整備すると共に景観を維持するために雑草の除草作業や除草剤散布等を行っている。しかし、広い場所を人手で除草するには多くの作業者が必要であり、周囲が住宅地の場合は除草剤散布がしにくい。
【０００３】
そこで、従来は、特許文献１に示すように、周縁にヒレ状の押さえ部を備えた透水性の袋に木材チップを充填した防草袋を、押さえ部を重ねて多数敷設することにより、地表を太陽光から遮断して防草するようにしている。
【０００４】
【特許文献１】特開平９−５６２６７号公報。
【発明の開示】
【発明が解決しようとする課題】
【０００５】
前記従来の除草方法では、押さえ部に木材チップが充填されていないため、強風や衝撃によって防草袋が位置ずれして、隣接する防草袋間に隙間ができてしまい、その隙間から雑草が生えてくることがあった。また、袋が四角形に限られているので、防草袋の敷設字の配列が限定され、中央分離帯や公園の花壇等の形状に合った敷設が難しいという課題もある。
【課題を解決するための手段】
【０００６】
本発明は防草袋の外周縁を重ねて地面に確実に固定でき、防草袋を地面の形状に合わせて敷設することができ、雑草の生育を確実に防止できるようにした防草方法と防草袋を提供することにある。
【０００７】
本件出願の防草方法は請求項１に記載したように、生分解性繊維で形成された通気、通水性のある袋の内部に間伐材、廃材等の木材チップを収容した防草袋を、地面に多数個敷設して地面に固定して、地表を太陽光から遮断して防草するようにした。
【０００８】
本件出願の防草方法は請求項２に記載したように、前記防草方法において、周縁部に肉薄の連結部が形成された袋を使用し、隣接する防草袋の連結部同士を重ねて地面に敷設し、重ねた連結部を固定具で地面に固定するようにした。
【０００９】
本件出願の防草袋は請求項３に記載したように、生分解性繊維で形成された通気、通水性のある袋内に、間伐材、廃材等の木材チップを収納したものである。
【００１０】
本件出願の防草袋は請求項４に記載したように、前記防草袋において、袋の周縁部に、敷設時に隣り合う他の防草袋の連結部と重ね合わせ可能な肉薄の連結部を備えたものとした。
【００１１】
本件出願の防草袋は請求項５に記載したように、前記防草袋において、連結部に固定具を差込み可能な固定孔を形成し、固定孔に補強材を設けたものとした。
【００１２】
本件出願の防草袋は請求項６に記載したように、前記防草袋において、木材チップを発光性の有る又は無い着色材で着色されたものとした。
【００１３】
本件出願の防草袋は請求項７に記載したように、前記防草袋において、袋の外周の一部に、敷設場所の固定物の外周に宛がうことのできる窪み部が形成されたものとした。
【発明の効果】
【００１４】
本件出願の請求項１記載の防草方法は次のような効果がある。
（１）防草袋を地面に多数個敷設して地表を太陽光から遮断するので、防草袋の下の地面からは雑草が生えず、従来のように草取りをしたり、除草剤散布をしたりする必要がなく、労力と費用の大幅な削減が可能となる。また、雑草のために樹木の生育が阻害されることもない。
（２）通気、通水性のある袋を用いるので、雨水が地面に浸透し、地面に植えられている樹木等の生育に支障がない。
（３）防草袋を地面に固定するので、強風や分離帯の横を走行する自動車の振動等によって防草袋が位置ずれして、防草袋間に隙間ができることがないため、隙間から雑草が生えるといったことも無く、雑草の生育を確実に防止できる。
（４）袋が生分解性繊維製であり、中身も木材チップであって、いずれも長期間には自動的に分解されるので、古くなっても撤去作業を行う必要がない。また、分解されても土壌が汚染されることがなく、環境保全上の問題も無い。
【００１５】
本件出願の請求項２記載の防草方法は上記効果の他に次のような効果がある。
（１）袋の周縁部の肉薄の連結部同士を重ねて地面に敷設してあるので、隣接する防草袋の間に隙間がなく、雑草の生育を確実に防止できる。
（２）重ね合わせた連結部に杭（固定具）を打つとか、番線（固定具）を差込むなどして、防草袋を互いに連結して地面に固定してあるので、防草袋の連結、固定が容易であり、敷設の作業性がよい。
【００１６】
本件出願の請求項３記載の防草袋には次のような効果がある。
（１）袋に木材チップが収容されているので、防草袋を地面に多数並べて地表を被覆して太陽光を遮断することができるので、雑草の生育を確実に防止でき、従来のように草取りや除草剤散布等をする必要がなく、労力、管理費等を大幅に削減できる。
（２）通気、通水性のある袋であるため、雨水が防草袋を通して地面に浸透し、地面に植えられている樹木等の生育に支障がない。
（３）袋が生分解性繊維製であり、中身も木材チップであって、いずれも長期間には自動的に分解されるので、古くなっても撤去作業を行う必要がない。また、分解されても土壌が汚染されることがなく、環境保全上の問題も無い。
（４）木材チップとして間伐材や家屋の廃材等を粉砕したものを使用すれば、間伐材や家屋廃材等の有効利用ができ、安価なものとなる。
【００１７】
本件出願の請求項４記載の防草袋には上記効果の他に次のような効果がある。
（１）防草袋の周縁部に肉薄の連結部を備えるため、その連結部を重ね合わせて敷設でき、防草袋間に隙間を無くすことができ、雑草の生育を確実に防止できる。
（２）重ねた連結部に固定具を打ち込むことにより、防草袋同士を連結することができ、しかも、連結部を重ねた二つの防草袋を同時に地面に固定することができ、敷設作業を容易且つ効率よく行うことができる。
【００１８】
本件出願の請求項５記載の防草袋には前記効果の他に次のような効果もある。
（１）連結部に固定孔が形成されているので、隣接する防草袋の固定孔同士を重ねて、その固定孔に固定具を打ち込んだり、差込んだりすることができ、固定作業が容易になる。
（２）固定孔に補強材を設けてあるため、固定孔に固定具を打ち込んでも防草袋が裂けたり、破れたり、変形したりしない。このため長期間の使用に耐え得る防草袋となる。
【００１９】
本件出願の請求項６記載の防草袋には上記効果の他に次のような効果がある。
（１）木材チップが着色されているため、その色を選択することにより、設置場所の周囲環境の色に調和させたり、逆に、周囲環境の色とは異なる色にして目立つようにしたりすることもでき、例えば、目立つ色にして中央分離帯に敷設すれば、中央分離帯が見易くなり、交通事故の減少にも役立つ。
（２）着色塗料を発光性のあるものにして、その防草袋を中央分離帯に敷設すれば防草袋が遠方からでも目に付き、夜間の交通安全にも寄与できる。
【００２０】
本件出願の防草袋は請求項７に記載したように、前記防草袋において、袋の外周の一部に、敷設場所の固定物の外周に宛がうことのできる窪み部が形成されているので、敷設場所に立木や他の障害物があっても、それの周囲に窪み部を宛がって（それらを避けて）、それらとの間に隙間ができないように敷設することができ、立木や他の障害物の周囲にも雑草が生えないようにすることができる。
【発明を実施するための最良の形態】
【００２１】
（本発明の防草袋の実施形態１）
本発明の防草方法の実施形態の説明に先立って、その防草方法に使用される本発明の防草袋の実施形態の一例を図面に基づいて説明する。図１（ａ）（ｂ）に示す防草袋１は通気、通水性のある袋２の内部に木材チップ３を収容してある。袋２の周縁部には肉薄の連結部４が形成され、連結部４の四隅に連結部４を表裏面に貫通する固定孔５が形成されている。連結部４の幅は任意とすることができ、例えば、１０ｃｍから３０ｃｍ程度が適当である。
【００２２】
前記袋２には網状の袋とか、網よりは目の細かい袋等を使用することができる。通気、通水性があれば、織物、不織布等で作ることもできる。袋２の材質にはポリ乳酸繊維、ポリ乳酸繊維等の生分解性繊維糸を使用することができる。
【００２３】
網目の大きさは収容する木材チップ３のサイズによっても異なるが、それらがこぼれ落ちない大きさの網目、例えば１ｍｍ〜３ｃｍ程度とするのが良く、それより細かくも粗くもすることができる。
【００２４】
袋２は図１（ａ）（ｂ）に示すように、周縁部を糸や紐で縫合して縫合部６で内側と外側に仕切り、内側に木材チップ３を収容可能な収容部、外側に木材チップ３を収容できない連結部４を形成してある。連結部４に貫通された固定孔５の周縁には補強具７が取り付けられている。補強具７としては鳩目金具を固定孔５の内側に差込んでカシメにより固定するとか、固定孔５の内周縁に接着剤を塗布して固めるとか、固定孔５の内周縁を糸や紐などでかがるなどしてある。固定孔５の数や位置は任意に選択することができる。
【００２５】
木材チップ３は図２（ａ）（ｂ）に示すように、間伐材や木造建築物等の廃材などの産業廃棄物となる木材を、チップ状に粉砕、破砕、切断等した後、加熱処理等によって害虫を駆除したり、殺菌したりしてある。木材チップ３の大きさは袋２の網目より大きければ任意の大きさとすることができる。この木材チップ３を袋２にその開口部から充填し、開口部を封止することによって防草袋１が完成する。収容する木材チップ３の量は任意に選択する、袋１内で多少は動いて防草袋が敷設する地面の形状に対応して変形できる程度の量とするのが良い。
【００２６】
防草袋１の大きさ、厚さ、重さ等は、任意に選択することができ、人手で持ち運べる程度が適当であり、一例としては、図１中のＬ×Ｗ×Ｈが５０ｃｍ×１０ｃｍ×５ｃｍ程度から、１２０ｃｍ×９０ｃｍ×１０ｃｍ程度が適する。
【００２７】
（本発明の防草袋の実施形態２）
本発明の防草袋１の基本的な構成は実施形態１の防草袋１と共通するが、異なるのは、図３に示すように、袋２の周縁の一部に樹木、障害物等の外周に宛がうための窪み部８が形成されていることである。図３の窪み部８は半円弧状であるが、その形状、深さ、大きさ等は宛がう樹木、障害物等に合わせて任意に選択することができる。
【００２８】
袋２の繊維には生分解性ではないもの、例えばナイロン、ポリエチレン化学合成系脂肪族ポリエステル等の耐久性の高い繊維を使用することもできる。また、生分解性繊維１００％製の繊維ではなく、生分解性繊維に他の繊維を混ぜた繊維を使用した袋とすることもできる。それら繊維の種類、太さ、配向度等も任意に選択でき、紫外線吸収剤等の耐候剤を適当量添加したりすることもできる。その添加により生分解期間をコントロールすることもできる。
【００２９】
前記各実施形態では袋２の四方の周縁寄りを糸や紐で縫合して連結部４を形成してあるが、ホッチキスや接着剤等により仕切って連結部４を形成することもできる。
【００３０】
本発明では害虫や、野兎、野鼠、鹿等の動物を忌避するための忌避剤を防草袋１の表面に塗布したり、中に入れたりすることもできる。これによって造林地内への害虫や動物の侵入を防止でき、それらによる被害を防止することができる。忌避剤としては、例えば、β−ナフトール剤、クレオソート剤、チウラムペースト剤、チウラム水和剤、グアザチン・チウラム水和剤、石油アスファルト水和剤等を使用することができる。これらは、単独で、若しくは二以上を混合して使用することができる。
【００３１】
本発明では、防草袋の表面に除草剤を塗布することもできる。これによって、除草剤による除草効果と、防草袋１の太陽光遮断による防草効果とが相まって、より確実な防草効果が発揮される。除草剤としては、例えば、塩素酸ナトリウム、スルファミン酸アンモニウム、シアン酸ナトリウム等の無機除草剤、ＤＰＡ（ダラポン）、テトラビオン、ＴＣＡ等の脂肪酸系除草剤、ＭＣＰ，トリクロピル等のフェノキシ系除草剤、ピクロラム等の芳香族カルボン酸系除草剤、アシュラム等のカーバメート系除草剤、グリホサート、ホサミンアンモニウム等の有機リン系除草剤、カルブチレート等の尿素系除草剤等を用いることができる。これらは、単独で、若しくは二以上を混合して使用することができる。
【００３２】
（本発明の防草方法の実施形態１）
本発明の防草方法の実施形態の一例を、図面を参照して説明する。この実施形態は前記した本発明の防草袋１を、道路の中央分離帯に敷設して防草する方法である。図４（ａ）（ｂ）に示すように中央分離帯９の土壌１０に植栽された樹木１１の周りに、防草袋１を連続して敷設する。この場合、図４（ａ）（ｂ）に示すように防草袋１の幅方向一方の連結部４を中央分離帯９の縁石１３に沿わせ、幅方向他方の連結部４を樹木１１側に沿わせて敷設する。更に、図４（ｂ）に示すように隣接する防草袋１の連結部４同士を重ねて敷設し、図５に示すように重ねた固定孔５から土壌１０に杭１２を打ち込んで防草袋１を地面に固定する。図４（ｂ）のように、樹木１０の周囲にできる隙間１４にバラの木材チップ３を充填して、中央分離帯９の全表面を被覆して太陽光が当たらないようにする。
【００３３】
（本発明の防草方法の実施形態２）
本発明の防草方法の実施形態の他の例を図６に基づいて説明する。この実施形態は図３に示すように窪み部８のある防草袋１を図６（ａ）（ｂ）に示すように、中央分離帯９の土壌１０に植栽された樹木１１の周囲に敷設する。このとき、防草袋１の一方の連結部４を中央分離帯９の縁石１３の上に重ね、他方の連結部４の窪み部８を樹木１１の根元に沿わせる。また、多数の防草袋１は図６（ｂ）及び図７に示すように、長手方向の連結部４同士を重ね合わせる。重ね合わせた防草袋１の連結部４は杭１２で土壌１０に固定しても良く、しなくても良い。前記窪み部８の内側（樹木の外周）に隙間１４ができる場合は、その隙間１４にバラの木材チップ３を充填してその部分にも太陽光が当たらないようにする。
【産業上の利用可能性】
【００３４】
本発明の防草方法及びそれに用いる防草袋は、中央分離帯以外にも、公園や花壇等、雑草が生育することが好ましくない、どのような土地にも施工することができる。
【図面の簡単な説明】
【００３５】
【図１】（ａ）は、本発明の防草袋の実施形態の一例を示す平面図。（ｂ）は、（ａ）に示す防草袋の正面図。
【図２】（ａ）は、木材チップの形状の一例を示す斜視図。（ｂ）は、木材チップの形状の他の一例を示す斜視図。
【図３】（ａ）は、本発明の防草袋の実施形態の他の一例を示す平面図。（ｂ）は、（ａ）に示す防草袋の正面図。
【図４】（ａ）は、本発明の防草方法の実施形態の一例を示す断面説明図。（ｂ）は、（ａ）に示す防草袋の平面説明図。
【図５】図４に示す防草方法の実施形態における防草袋の並べ方を示す説明図。
【図６】（ａ）は、本発明の防草方法の実施形態の他の一例を示す断面説明図。（ｂ）は、（ａ）に示す防草袋の平面説明図。
【図７】図５に示す防草方法の実施形態における防草袋の並べ方を示す説明図。
【符号の説明】
【００３６】
１  防草袋
２  袋
３  木材チップ
４  連結部
５  固定孔
８  窪み部
１２  杭
【図１】
2007089473.tif 000003
【図２】
2007089473.tif 000004
【図３】
2007089473.tif 000005
【図４】
2007089473.tif 000006
【図５】
2007089473.tif 000007
【図６】
2007089473.tif 000008
【図７】
2007089473.tif 000009